(57)【特許請求の範囲】
【請求項１】
金属シェルと、励振シートと、誘電体充填層と、拡張共振分岐とを含み、
前記金属シェルに、第１のスロットと、第２のスロットとが設けられ；
前記第１のスロットが、前記金属シェルを通って貫通し、前記金属シェルの横手方向に延び、第１の端部と第２の端部とを有し、前記第１の端部及び前記第２の端部が、閉じられており；
前記第２のスロットが、前記金属シェルを通って貫通し、前記金属シェルの長手方向に延び、前記第１のスロットと連結された第１の端部と、前記金属シェルのエッジに延び、そこで開放されている第２の端部とを有し；
前記励振シートが、前記金属シェルの内側に配置され、前記第１のスロットの幅方向に前記第１のスロットをカバーし；
前記誘電体充填層が、前記励振シートと前記金属シェルとの間に配置され、前記第１のスロットと前記第２のスロットとを充填するように構成され；
前記拡張共振分岐が、前記金属シェルから離れて対向する前記誘電体充填層の表面に配置され、前記励振シートと接続されていることを特徴とするアンテナ。
【請求項２】
前記第１のスロット及び前記第２のスロットが、前記金属シェルの１つのエッジに隣接して配置される請求項１に記載のアンテナ。
【請求項３】
前記第１のスロットが、前記金属シェルの上部エッジに隣接して配置され、前記第２のスロットが、前記第１のスロットと連結された下部端部と、前記金属シェルの前記上部エッジに延び、そこで開放された上部端部とを有する請求項１から２のいずれかに記載のアンテナ。
【請求項４】
前記励振シートが、第１の分岐と第２の分岐とを含み、
前記第１の分岐が、前記金属シェルの前記横手方向に延び、前記金属シェルの前記長手方向において、前記第１のスロットと、前記第１のスロットに隣接した前記金属シェルの１つのエッジとの間に配置され、
前記第２の分岐が、前記金属シェルの前記横手方向に延び、前記第１の分岐と接続され、前記第１の分岐の幅よりも大きい幅を有し、前記第１のスロットの前記幅方向に前記第１のスロットをカバーする請求項１から３のいずれかに記載のアンテナ。
【請求項５】
マッチングネットワークを更に含み、前記マッチングネットワークが、前記金属シェルの前記内側に配置され、前記励振シート及び前記金属シェルのそれぞれに接続される請求項４に記載のアンテナ。
【請求項６】
前記マッチングネットワークが、前記第２の分岐と接続される請求項５に記載のアンテナ。
【請求項７】
前記第２の分岐に、信号線と接続するように構成される給電信号アクセスポイントが設けられている請求項４から６のいずれかに記載のアンテナ。
【請求項８】
前記誘電体充填層が、前記金属シェルと前記励振シートとの間に配置された隔離部と、前記隔離部と接続され、前記第１のスロットを充填するように構成される第１の充填部と、前記隔離部と接続され、前記第２のスロットを充填するように構成される第２の充填部とを含む請求項１から７のいずれかに記載のアンテナ。
【請求項９】
前記隔離部が、信号線を受け取るように構成されるノッチを有する請求項８に記載のアンテナ。
【請求項１０】
前記誘電体充填層が、集積成型方法で形成される請求項８から９のいずれかに記載のアンテナ。
【請求項１１】
前記誘電体充填層が、３未満の比誘電率を有するプラスチックからなる請求項１から１０のいずれかに記載のアンテナ。
【請求項１２】
前記拡張共振分岐が、インダクタ素子又はキャパシタ素子を介して、前記励振シートと接続される請求項１から１１のいずれかに記載のアンテナ。
【請求項１３】
請求項１から１２のいずれかに記載のアンテナを含むことを特徴とする移動端末。
【発明の詳細な説明】
【技術分野】
【０００１】
関連出願の相互参照
本願は、その開示内容の全体を参照によって援用する、２０１５年３月３１日に中華人民共和国国家知識産権局に出願の中国特許出願第２０１５１０１４５６３９．３号に対する優先権及び利益を主張するものである。
【０００２】
本開示は、通信機器分野、より詳細には、アンテナ及びそれを有する移動端末に関する。
【背景技術】
【０００３】
従来において、アンテナは、シェルの通信領域に位置する第１のスロット及び第２のスロットと、誘電体基板と、マイクロストリップ給電部とからなる。前記第１のスロットは、前記第２のスロットと平行して並べられる。前記第１のスロットを用いて、第１の周波数帯域幅シグナルを放射し、前記第２のスロットを用いて、前記第１の周波数帯域幅シグナルよりも周波数が高い第２の周波数帯域幅シグナルを放射し、前記誘電体基板は、前記第１のスロット及び前記第２のスロットをカバーし、前記マイクロストリップ給電部を用いて、前記第１のスロット及び前記第２のスロットの放射を励振する。
【０００４】
周波数シグナルは、スロットのみによって放射され、周波数シグナルは、有している帯域幅に制限があり、２つのスロットは、個別に２つの共振を生成し、２つの異なる周波数帯域幅シグナルを放射するが、４Ｇ時代における超広帯域幅通信技術の必要要件を満たすことができない。更に、スロットは、周波数通信における音波透過孔として用いられることができないため、移動端末の外観に影響を及ぼすだけではなく、塵が入り込む傾向もある。
【発明の概要】
【０００５】
本開示の実施形態は、関連技術に存在する問題の少なくとも１つを少なくともある程度にまで解決することを図る。これについては、本開示は、２Ｇ、３Ｇ、及び４Ｇの通信要件を満たす広い周波数帯域、すっきりとした美しい外観、及び良好な防塵性能など複数の利点を有するアンテナを提供する。
【０００６】
本開示は、前記アンテナを有する移動端末を更に提供する。
【０００７】
上記目的を達成するために、本開示の第１の態様の実施形態によれば、アンテナが提供され、前記アンテナは、金属シェルと、励振シートと、誘電体充填層と、拡張共振分岐とを含む。前記金属シェルに、第１のスロットと、第２のスロットとが設けられる。前記第１のスロットは、前記金属シェルを通って貫通し、前記金属シェルの横手方向に延び、第１の端部と第２の端部とを有し、前記第１の端部及び前記第２の端部は、閉じられている。前記第２のスロットは、前記金属シェルを通って貫通し、前記金属シェルの長手方向に延び、前記第１のスロットと連結された第１の端部と、前記金属シェルのエッジに延び、そこで開放されている第２の端部とを有する。前記励振シートは、前記金属シェルの内側に配置され、前記第１のスロットの幅方向に前記第１のスロットをカバーする。前記誘電体充填層は、前記励振シートと前記金属シェルとの間に配置され、前記第１のスロットと前記第２のスロットとを充填するように構成される。前記拡張共振分岐は、前記金属シェルから離れて対向する前記誘電体充填層の表面に配置され、前記励振シートと接続されている。
【０００８】
本開示の実施形態に係るアンテナは、２Ｇ、３Ｇ、及び４Ｇの通信要件を満たす広い周波数帯域幅、すっきりとした美しい外観、及び良好な防塵性能など複数の利点を有する。
【０００９】
更に、本開示の実施形態に係る移動端末のためのアンテナは、下記追加の技術的特徴を更に有することができる。
【００１０】
実施形態においては、前記第１のスロット及び前記第２のスロットは、前記金属シェルの１つのエッジに隣接して配置される。
【００１１】
実施形態においては、前記第１のスロットは、前記金属シェルの上部エッジに隣接して配置され、前記第２のスロットは、前記第１のスロットと連結された下部端部と、前記金属シェルの前記上部エッジに延び、そこで開放された上部端部とを有する。
【００１２】
実施形態においては、前記第１のスロットの幅は、約０．５ｍｍ〜約５ｍｍの範囲に亘る。
【００１３】
実施形態においては、前記第２のスロットの幅は、約０．５ｍｍ〜約５ｍｍの範囲に亘る。
【００１４】
実施形態においては、前記第２のスロットと前記第１のスロットの前記第１の端部との間の距離は、前記金属シェルの前記横手方向において、約５２ｍｍ〜約７２ｍｍの範囲に亘る。
【００１５】
実施形態においては、前記第２のスロットと前記第１のスロットの前記第２の端部との間の距離は、前記金属シェルの前記横手方向において、約１５．５ｍｍ〜約２５．５ｍｍの範囲に亘る。
【００１６】
実施形態においては、前記励振シートは、第１の分岐と第２の分岐とを含む。前記第１の分岐は、前記金属シェルの前記横手方向に延び、前記金属シェルの前記長手方向において、前記第１のスロットと、前記第１のスロットに隣接した前記金属シェルの１つのエッジとの間に配置される。前記第２の分岐は、前記金属シェルの前記横手方向に延び、前記第１の分岐と接続され、前記第１の分岐の幅よりも大きい幅を有し、前記第１のスロットの前記幅方向に前記第１のスロットをカバーする。
【００１７】
実施形態においては、前記アンテナは、マッチングネットワークを更に含み、前記マッチングネットワークは、前記金属シェルの前記内側に配置され、前記励振シート及び前記金属シェルのそれぞれに接続される。
【００１８】
実施形態においては、前記マッチングネットワークは、前記第２の分岐と接続される。
【００１９】
実施形態においては、前記第２の分岐に、信号線と接続するように構成される給電信号アクセスポイントが設けられる。
【００２０】
実施形態においては、前記励振シートと前記金属シェルの内側表面との間の距離は、約０．５ｍｍ〜約２ｍｍの範囲に亘る。
【００２１】
実施形態においては、前記誘電体充填層は、前記金属シェルと前記励振シートとの間に配置された隔離部と、前記隔離部と接続され、前記第１のスロットを充填するように構成される第１の充填部と、前記隔離部と接続され、前記第２のスロットを充填するように構成される第２の充填部とを含む。
【００２２】
実施形態においては、前記隔離部は、信号線を受け取るように構成されるノッチを有する。
【００２３】
実施形態においては、前記誘電体充填層は、集積成型方法で形成される。
【００２４】
実施形態においては、前記誘電体充填層は、３未満の比誘電率を有するプラスチックからなる。
【００２５】
実施形態においては、前記拡張共振分岐は、インダクタ素子又はキャパシタ素子を介して、前記励振シートと接続される。
【００２６】
実施形態においては、前記拡張共振分岐は、前記金属シェルの前記横手方向に延び、約１５ｍｍ〜約２５ｍｍの範囲に亘る長さを有する。
【００２７】
本開示の第２の態様の実施形態によれば、移動端末が提供され、前記移動端末は、本開示の第１の態様の実施形態に係るアンテナを含む。
【００２８】
本開示の実施形態に係る移動端末は、良好なアンテナ性能、すっきりとした美しい外観、及び良好な防塵性能など複数の利点を有する。
【図面の簡単な説明】
【００２９】
本開示の実施形態のこれら及びその他の態様及び利点は、図面を参照してなされた下記記載から明らかとなり、より容易に理解されるであろう。
【００３０】
【図１】図１は、アンテナの金属シェルの外側からの、本開示の実施形態に係るアンテナの概略図である。
【図２】図２は、アンテナの金属シェルの内側からの、本開示の実施形態に係るアンテナの概略図である。
【図３】図３は、アンテナの金属シェルの内側からの、誘電体充填層が示されていない本開示の実施形態に係るアンテナの概略図である。
【図４】図４は、図２の断面線Ｉ−Ｉに沿った本開示の実施形態に係るアンテナの断面図である。
【図５】図５は、本開示の実施形態に係るアンテナの誘電体充填層の概略図である。
【図６】図６は、本開示の実施形態に係るアンテナの励振シート、マッチングネットワーク、及び拡張共振分岐の概略図である。
【図７】図７は、本開示の実施形態に係るアンテナの周波数帯域を示す図である。
【発明を実施するための形態】
【００３１】
参照は、本開示の実施形態に詳細になされる。図面を参照して本明細書中に記載された実施形態は、説明的であり、図解的であるが、一般的には、本開示を理解するために使用される。実施形態は、本開示を制限するために解釈されないものとする。同じ又は類似のエレメント及び同じ又は類似の機能を有するエレメントは、記載中で参照番号のように示される。
【００３２】
本開示の具体的な実施形態に係るアンテナは、下記図面を参照して記載される。金属シェル１０の横手方向は、図１〜図３において、矢印Ａで表され、前記金属シェル１０の長手方向は、図１〜図４において、矢印Ｂで表される。本明細書中における上下方向は、垂直方向を指し、本明細書中における内外方向は、前記アンテナを含む移動端末が通常用いられる内外方向を指す。
【００３３】
図１〜図６に示されるように、本開示の実施形態に係るアンテナは、金属シェル１０と、励振シート２０と、誘電体充填層３０と、マッチングネットワーク４０と、拡張共振分岐５０とを含む。
【００３４】
前記金属シェル１０に、第１のスロット１１及びが第２のスロット１２が設けられる。前記第１のスロット１１は、前記金属シェル１０の前記横手方向に延び、前記第２のスロット１２は、前記金属シェル１０の前記長手方向に延びている。前記第１のスロット１１及び前記第２のスロット１２は、いずれも前記金属シェル１０の厚み方向に沿って、前記金属シェル１０を通って貫通する。前記第１のスロット１１は、第１の端部と、第２の端部とを有し、前記第１の端部及び前記第２の端部は、閉じられている。前記第２のスロット１２は、前記第１のスロット１１と連結された第１の端部と、前記金属シェル１０のエッジに延び、そこで開放されている第２の端部とを有する。言い換えれば、前記第１のスロット１１及び前記第２のスロット１２は、互いに交わり、Ｔ字型を形成する。前記励振シート２０は、前記金属シェル１０の内側に配置され、前記第１のスロット１１の幅方向に前記第１のスロット１１をカバーする。当業者であれば、前記第１のスロット１１の前記幅方向が、前記第１のスロット１１の短いエッジの延びている方向を指すことを理解するであろう。前記誘電体充填層３０は、励振シート２０と前記金属シェル１０との間に配置され、それぞれ、第１のスロット１１と前記第２のスロット１２とを充填する。前記マッチングネットワーク４０は、前記金属シェル１０の前記内側に配置され、前記励振シート２０及び前記金属シェル１０と接続されている。前記拡張共振分岐５０は、前記金属シェル１０から離れて対向する前記誘電体充填層３０の表面に配置され、前記励振シート２０と接続されている。
【００３５】
本開示の実施形態によれば、前記アンテナは、放射表面として、前記金属シェル１０を用い、アンテナ信号が遮断されることから防ぎ、それによって前記アンテナのスペース利用を改善することができる。
【００３６】
更に、幾つかの実施形態においては、前記金属シェル１０に、互いに交わりＴ字型を形成する前記第１のスロット１１と前記第２のスロット１２とが設けられ、前記拡張共振分岐５０は、前記誘電体充填層３０に配置され、前記励振シート３０は、前記マッチングネットワーク４０と結合して設けられているため、前記アンテナ１の性能は、効果的に改善され、前記アンテナ１は、複数の周波数帯域をカバーすることができる。幾つかの実施形態においては、前記第１のスロット１１に隣接する前記金属シェル１０のエッジは、前記第２のスロット１２によって、第１の共振分岐Ｌ１及び第２の共振分岐Ｌ２に分けられる（即ち、前記第１の共振分岐Ｌ１及び前記第２の共振分岐Ｌ２は、前記金属シェル１０に属し、前記第１のスロット１１及び前記第２のスロット１２によって区切られる）。カップル給電方法で、前記励振シート２０によって、前記第１の共振分岐Ｌ１が励振されて、共振を発生させ、低周波数帯域（約７９１ＭＨｚ〜９６０ＭＨｚ）をカバーし、その後前記第２の共振分岐Ｌ２、前記第１の共振分岐Ｌ１及び前記励振シート２０は、共に結合することができる。更に、前記拡張共振分岐５０は、追加の共振を発生させ、高い周波数帯域を拡張し、それによって高周波数帯域（約１７１０ＭＨｚ〜２６９０ＭＨｚ）を得ることで、本開示で提供された前記アンテナは、広い周波数帯域幅を有することができる。言い換えれば、前記アンテナは、単にスロットに依存すると言うよりは、スロット及び放射するための形成された共振分岐、並びに通信するための前記励振シート２０に依存する。
【００３７】
加えて、前記第１のスロット１１及び前記第２のスロット１２は、集積成型方法で形成される前記誘電体充填層４０によって充填され、それによって前記金属シェル１０から前記励振シート２０を隔離するだけではなく、塵が入り込むことを防止しながら移動端末の外観を美しくする
【００３８】
図７に示されるように、前記アンテナ１の周波数帯域を試験することで、前記アンテナ１の性能が優れていることが示される。したがって、本開示の実施形態に係る前記アンテナ１は、広い周波数帯域をカバーし、低周波数帯域及び高周波数帯域のそれぞれにおいて、たった１つの共振を発生させると言うよりは、低周波数帯域及び高周波数帯域のいずれにおいて複数の共振を発生させる。それによって、周波数帯域幅を拡張し、ワイヤレス広域ネットワーク（ＷＷＡＮ）及びロングタームエボリューション（ＬＴＥ）周波数帯域をカバーすることができる。したがって、前記アンテナ１は、２Ｇ、３Ｇ、及び４Ｇの通信要件を満たす広い周波数帯域幅、すっきりとした美しい外観、及び良好な防塵性能などを示す。
【００３９】
本開示の具体的な実施形態に係るアンテナは、下記図面を参照して記載される。
【００４０】
本開示の幾つかの具体的な実施形態においては、図１〜図６に示されるように、本開示の実施形態に係るアンテナは、前記金属シェル１０と、前記励振シート２０と、前記誘電体充填層３０と、前記マッチングネットワーク４０と、前記拡張共振分岐５０とを含む。
【００４１】
幾つかの実施形態においては、図１〜図３に示されるように、前記第１のスロット１１及び前記第２のスロット１２は、前記金属シェル１０の１つのエッジに隣接して並べられ、前記移動端末の液晶ディスプレイ（ＬＣＤ）を避ける。
【００４２】
幾つかの実施形態においては、前記第１のスロットは、前記金属シェル１０の上部エッジに隣接して配置される。前記上下方向は、前記アンテナ１を含む移動端末が通常用いられる上下方向を指す。前述のとおり、本明細書中における前記上下方向は、垂直方向を指す。前記第２のスロット１２は、前記第１のスロット１１と連結された下部端部と、前記金属シェル１０の前記上部エッジへ延び、開放されている上部端部とを有する。
【００４３】
更に、前記第１のスロット１１の幅は、約０．５ｍｍ〜約５ｍｍの範囲に亘る。幾つかの実施形態においては、前記第１のスロット１１の幅は、約２．５ｍｍである。また、前記第２のスロット１２の幅は、約０．５ｍｍ〜約５ｍｍの範囲に亘る。幾つかの実施形態においては、前記第２のスロット１２の幅は、約２．５ｍｍである。
【００４４】
幾つかの実施形態においては、前記第２のスロット１２と前記第１のスロット１１の前記第１の端部との間の距離は、前記金属シェル１０の前記横手方向において、約５２ｍｍ〜約７２ｍｍの範囲に亘る。幾つかの実施形態においては、前記第２のスロット１２と前記第１のスロット１１の前記第１の端部との間の距離は、前記金属シェル１０の前記横手方向において、約６２ｍｍである。幾つかの実施形態においては、前記第２のスロット１２と前記第１のスロット１１の前記第２の端部との間の距離は、前記金属シェル１０の前記横手方向において、約１５．５ｍｍ〜約２５．５ｍｍの範囲に亘る。幾つかの実施形態においては、前記第２のスロット１２と前記第１のスロット１１の前記第２の端部との間の距離は、前記金属シェル１０の前記横手方向において、約２０．５ｍｍである。言い換えれば、前記第１の共振分岐Ｌ１の長さは、約５２ｍｍ〜約７２ｍｍの範囲に亘り、好ましくは６２ｍｍである。前記第２の共振分岐Ｌ２の長さは、約１５．５ｍｍ〜約２５．５ｍｍの範囲に亘り、好ましくは、２０．５ｍｍである。
【００４５】
当業者であれば、前記第１の共振分岐Ｌ１及び前記第２の共振分岐Ｌ２の長さは、前記アンテナ１の性能に応じて、適度に調節されることができることを理解するであろう。
【００４６】
本開示の幾つかの実施形態においては、図２、図３、及び図６に示されるように、前記第１のスロット１１は、前記第２のスロット１２によって、短い部分及び長い部分に分けられ、前記励振シート２０は、前記第１のスロット１１の前記長い部分に隣接して配置される。言い換えれば、前記励振シート２０は、前記第１の共振分岐Ｌ１に隣接して配置される。
【００４７】
幾つかの実施形態においては、前記励振シート２０は、第１の分岐２１と、第２の分岐２２とを含む。前記第１の分岐２１は、前記金属シェル１０の前記横手方向に延びている。前記第１の分岐２１は、前記金属シェル１０の前記長手方向において、前記第１のスロット１１と、前記第１のスロット１１に隣接している前記金属シェル１０の１つのエッジとの間に配置される。この実施形態においては、前記第１の分岐２１は、前記第１のスロット１１と前記金属シェル１０の前記上部エッジとの間に配置される。前記第２の分岐２２は、前記金属シェル１０の前記横手方向に延び、前記第１の分岐２１と接続されている。前記第２の分岐２２は、前記第１の分岐２１の幅よりも大きい幅を有し、前記第１のスロット１１の前記幅方向において、前記第１のスロット１１をカバーする。幾つかの実施形態においては、前記マッチングネットワーク４０は、前記第２の分岐２２と接続されている。幾つかの実施形態においては、前記第２の分岐２２に、信号線２４（同軸ケーブルなど）と接続するように構成される給電信号アクセスポイント２３が備えられている。したがって、前記励振シート２０の励振効果を確保することができる。
【００４８】
幾つかの実施形態においては、前記励振シート２０と前記金属シェル１０の内側表面との間の距離は、約０．５ｍｍ〜２ｍｍの範囲に亘る。幾つかの実施形態においては、前記励振シート２０と前記金属シェル１０の内側表面との間の距離は、約０．６ｍｍである。
【００４９】
当業者であれば、前記第１の分岐２１と前記第２のスロット１２との間の位置関係が、実際の用途及び要求に応じて設定されることができることを理解するであろう。前記第１の分岐２１が前記第２のスロット１２から離されている例としては、下記図面に示される。
【００５０】
本開示の幾つかの実施形態においては、図５に示されるように、前記誘電体充填層３０は、隔離部３１と、第１の充填部３２と、第２の充填部３３とを含む。前記励振シート２０から前記金属シェル１０を隔離するために、前記隔離部３１は、前記金属シェル１０と前記励振シート２０との間に配置される。幾つかの実施形態においては、前記隔離部３１は、前記信号線２４を受け取るように構成されるノッチ３４を有する。前記第１の充填部３２は、前記隔離部３１と接続され、前記第１のスロット１１を充填するために用いられる。前記第２の充填部３３は、前記隔離部３１と接続され、前記第２のスロット１２を充填するために用いられる。上述のとおり、前記励振シート２０と前記金属シェル１０の前記内側表面との間の距離は、約０．５ｍｍ〜約２ｍｍの範囲に亘り、好ましくは、約０．６ｍｍである。言い換えれば、前記隔離部３１の幅は、約０．５ｍｍ〜約２ｍｍの範囲に亘り、好ましくは約０．６ｍｍである。
【００５１】
前記誘電体充填層３０の隔離効果を保証するために、前記誘電体充填層３０は、３未満の比誘電率を有するプラスチックからなる。
【００５２】
本開示の幾つかの実施形態においては、図６に示されるように、前記拡張共振分岐５０は、インダクタ素子又はキャパシタ素子５１を介して、前記励振シート２０と接続される。幾つかの実施形態においては、前記拡張共振分岐５０は、前記インダクタ素子を介して、前記励振シート２０と接続される。
【００５３】
幾つかの実施形態においては、前記拡張共振分岐５０は、前記金属シェル１０の前記横手方向に延び、約１５ｍｍ〜約２５ｍｍの範囲の長さ、好ましくは約２０ｍｍの長さを有する。
【００５４】
当業者であれば、前記拡張共振分岐５０の長さが、前記アンテナ１のインピーダンスに応じて調節されることができることを理解するであろう。
【００５５】
本開示の実施形態に係る移動端末は、下記に記載される。本開示の実施形態に係る移動端末は、本開示の上記実施形態に係る前記アンテナ１を含む。
【００５６】
本開示の上記実施形態に係るアンテナを用いることで、本開示の実施形態に係る移動端末は、良好なアンテナ性能、すっきりとした美しい外観、及び良好な防塵性能など複数の利点を有する。
【００５７】
幾つかの実施形態においては、移動端末は、テーブルパーソナルコンピュータ、ラップトップ、及び携帯電話などであることができる。
【００５８】
本開示の実施形態に係る移動端末の他の部品及び操作は、当業者には知られており、本明細書中では記載をしない。
【００５９】
本明細書においては、「中心」、「長手方向」、「横手方向」、「長さ」、「幅」、「厚み」、「上」、「下」、「前」、「後」、「左」、「右」、「垂直」、「水平」、「上部」、「底部」、「内側」、「外側」、「時計回り」、及び「反時計回り」等の用語は、以下に記載するか又は図面に示す配向を指すものと解釈すべきであることを理解すべきである。これら相対的な用語は、説明の便宜上用いるものであり、本開示が特定の配向で構成されたり動作したりすることを必要とするものではない。
【００６０】
更に、「第１」及び「第２」等の用語は、本明細書において説明の目的で使用されるものであり、相対的な重要性又は意義を示唆又は意味するものでも、指定の技術的機構の数を意味するものでもない。このことから、「第１」及び「第２」によって規定される機構は、１以上のこの機構を含み得る。本開示の説明において、特に指定しない限り、「複数の」とは、２以上を意味する。
【００６１】
本開示においては、特段の記載又は制限がない限り、「装着された」、「接続された」、「結合された」、「固定された」などの用語は、広く用いられ、例えば、固定された接続、着脱可能な接続、又は一体された接続であることができ；機械的又は電気的接続であることもでき；直接的接続又は介在する構造を介した間接的な接続であることもでき；２つのエレメントの内部の伝達であることもでき、当業者であれば特定の状況に応じて理解することができる。
【００６２】
本開示においては、特段の記載又は制限がない限り、第１の部分が第２の部分の「上」又は「下」である構造は、前記第１の部分が前記第２の部分と直接接触している実施形態を含むことができ、前記第１の部分が前記第２の部分と互いに直接接触していないが、その間に形成された追加の部分を介して接触された実施形態を含むこともできる。更に、第２の部分「上」、「より上」、又は「上部」の第１の部分は、前記第１の部分が前記第２の部分「上」、「より上」、又は「上部」にまっすぐ又は斜めにある実施形態を含むことができ、単に前記第１の部分が前記第２の部分の高さより高いことを意味し；第２の部分「下」、「より下」、又は「下部」の第１の部分は、前記第１の部分が前記第２の部分「下」、「より下」、又は「下部」にまっすぐ又は斜めにある実施形態を含むことができ、単に前記第１の部分が前記第２の部分の高さより低いことを意味する。
【００６３】
「実施形態」、「幾つかの実施形態」、「１つの実施形態」、「他の例」、「例」、「具体的な例」、又は「幾つかの例」など本明細書中の参照は、実施形態又は例に関連して記載される特定の部分、構造、材料、又は特徴が本開示の少なくとも１つの実施形態又は例中に含まれることを意味する。したがって、本明細書を通して様々な場所で記載される「幾つかの実施形態においては」、「１つの実施形態においては」、「実施形態においては」、「他の実施形態においては」、「例においては」、「具体的な例においては」、又は「幾つかの例においては」などの表現の出現は、必ずしも本開示の実施形態又は例と同じものを意味しているわけではない。更に、特定の部分、構造、材料、又は特徴は、１つ以上の実施形態又は例において任意の好適な方法で組合せてもよい。
【００６４】
説明的な実施形態を示し、記載してきたが、上記実施形態を本開示を限定するように解釈することはできないこと、及び、実施形態について、本開示の精神、原理、及び範囲から逸脱することなく、変更、代替、及び改変を行うことができることが当業者によって理解されよう。
【符号の説明】
【００６５】
１          アンテナ
１０        金属シェル
１１        第１のスロット
１２        第２のスロット
２０        励振シート
２１        第１の分岐
２２        第２の分岐
２３        給電信号アクセスポイント
２４        信号線
３０        誘電体充填層
３１        隔離部
３２        第１の充填部
３３        第２の充填部
３４        ノッチ
４０        マッチングネットワーク
５０        拡張共振分岐
５１        インダクタ素子又はキャパシタ素子
【図１】
0006554550.tif 000002
【図２】
0006554550.tif 000003
【図３】
0006554550.tif 000004
【図４】
0006554550.tif 000005
【図５】
0006554550.tif 000006
【図６】
0006554550.tif 000007
【図７】
0006554550.tif 000008